(57)【要約】【課題】内容物が減って残りが少なくなった時に小さなサイズにして減容化を図ることができる紙カートンを提供する。【解決手段】前面パネル１２にはその中央に側面パネルの幅と略同じ幅の前方横断領域１２が区画され、背面パネルにはその中央に側面パネルの幅と略同じ幅の後方横断領域が区画されており、上部ミシン目と側部ミシン目とで囲まれる部分を蓋部分として開封した後に前方横断領域１２ａの上辺ｍをヒンジとして開閉可能になり、前方横断領域１２ａの下側辺αは破断可能で、開封後の蓋部分は前方横断領域１２ａとともに除去可能になっており、それらの除去と共に側面パネル１５の一部をも除去することにより、背面パネルはその後方横断領域における上下辺のところで屈曲可能になる。背面パネルを後方横断領域における上下辺のところで折り曲げて、後方横断領域より下方の部分に上方の部分を被せることにより、箱としての容積を大幅に減らせる。【選択図】図５
2008127095.tif 000002
【特許請求の範囲】
【請求項１】
前面パネルと背面パネルとそれらの両側にそれぞれ位置する側面パネルとにより胴部が形成され、各側面パネルの下辺に連設した下側折込みフラップをそれぞれ折り曲げてから、前面パネルと背面パネルの下辺にそれぞれ連設した底面パネルを重ねて貼り合わせることで底部閉鎖部が形成され、各側面パネルの上辺に連設した上側折込みフラップをそれぞれ折り曲げてから、背面パネルの上辺に連設した上面内側パネルと前面パネルの上辺に連設した上面外側パネルを順次折り曲げて貼り合わせることで上部閉鎖部が形成される直方体形状の紙カートンであって、前面パネルにはその中央に側面パネルの幅と略同じ幅の前方横断領域が区画され、背面パネルにはその中央に側面パネルの幅と略同じ幅の後方横断領域が区画されており、上面内側パネルは上側折込みフラップと貼り合わせられており、上面外側パネルには上部ミシン目により開封手段が設けられており、前面パネルの両側辺にはその上辺の両端から前方横断領域の上辺に至る側部ミシン目がそれぞれ形成されており、上部ミシン目と側部ミシン目とで囲まれる部分はこれらを蓋部分として開封した後に前方横断領域の上辺をヒンジとして開閉可能になり、前方横断領域の下側辺は破断可能で、開封後の蓋部分は前方横断領域とともに除去可能になっており、それらの除去と共に側面パネルの一部をも除去することにより、背面パネルはその後方横断領域における上下辺のところで屈曲可能になることを特徴とする紙カートン。
【発明の詳細な説明】
【技術分野】
【０００１】
本発明は、厚紙からなる紙カートンの技術分野に属し、特に、収納した内容物を小出しで食したり使用したりするのに好適な紙カートンに関するものである。
【背景技術】
【０００２】
従来より、例えばシリアル食品は、大きな袋に入れたものをさらに紙カートンに入れた状態で販売されている。すなわち、少量ずつ小出しして食べることを考慮し、残った分を保存しやすくするために外箱として紙カートンを使用している。また、洗剤などは少量ずつ小出しして使用するため、これを収納するのにも同様な形状の紙カートンが利用されている。
【特許文献１】特開平５−９７１３８号公報
【発明の開示】
【発明が解決しようとする課題】
【０００３】
上記したような紙カートンは、内容物が徐々に減少しても、紙カートンの方はそのままのサイズであるため、内容物を消費する途中では、内容物が減って少なくなっても余計な保管スペースが必要である。また、内容物の量が外から見ただけでは分からず、買い時を逃してしまうようなこともあった。
【０００４】
本発明は、このような問題点に鑑みてなされたものであり、その目的とするところは、内容物が減って残りが少なくなった時に小さなサイズにして減容化を図ることができる紙カートンを提供することにある。
【課題を解決するための手段】
【０００５】
上記の目的を達成するため、本発明の紙カートンは、前面パネルと背面パネルとそれらの両側にそれぞれ位置する側面パネルとにより胴部が形成され、各側面パネルの下辺に連設した下側折込みフラップをそれぞれ折り曲げてから、前面パネルと背面パネルの下辺にそれぞれ連設した底面パネルを重ねて貼り合わせることで底部閉鎖部が形成され、各側面パネルの上辺に連設した上側折込みフラップをそれぞれ折り曲げてから、背面パネルの上辺に連設した上面内側パネルと前面パネルの上辺に連設した上面外側パネルを順次折り曲げて貼り合わせることで上部閉鎖部が形成される直方体形状の紙カートンであって、前面パネルにはその中央に側面パネルの幅と略同じ幅の前方横断領域が区画され、背面パネルにはその中央に側面パネルの幅と略同じ幅の後方横断領域が区画されており、上面内側パネルは上側折込みフラップと貼り合わせられており、上面外側パネルには上部ミシン目により開封手段が設けられており、前面パネルの両側辺にはその上辺の両端から前方横断領域の上辺に至る側部ミシン目がそれぞれ形成されており、上部ミシン目と側部ミシン目とで囲まれる部分はこれらを蓋部分として開封した後に前方横断領域の上辺をヒンジとして開閉可能になり、前方横断領域の下側辺は破断可能で、開封後の蓋部分は前方横断領域とともに除去可能になっており、それらの除去と共に側面パネルの一部をも除去することにより、背面パネルはその後方横断領域における上下辺のところで屈曲可能になることを特徴としている。
【発明の効果】
【０００６】
本発明の紙カートンは、上部ミシン目と側部ミシン目とで囲まれる部分を蓋部分として開封した後、その蓋部分を開閉して内容物を取り出すという通常の使い方ができる一方、内容物が減って残り少なくなってきた時には、蓋部分をそのまま引っ張って前方横断領域とともに除去した状態としてから、背面パネルをその後方横断領域における上下辺のところで折り曲げて、後方横断領域より下方の部分に上方の部分を被せることにより、箱としての容積を大幅に減らすことができる。そして、減容化した紙カートンは、後方横断領域より上方の部分は下方の部分に対して外から覆うようにしてピッタリと嵌まるので、閉鎖状態を保持することができ、また両手で把持して簡単に開けることもできるというリクローズ機能を有したものとなる。また、紙カートンのサイズを小さくして減容化することで、内容物の残りが少ないことが見た目で分かることから、買い時を逃すようなことも防ぐことができる。
【発明を実施するための最良の形態】
【０００７】
次に、本発明の実施の形態について図面を参照しながら詳細に説明する。
【０００８】
図１は本発明に係る紙カートンの一例を示す斜視図、図２は図１の紙カートンを形成するブランクの平面図である。
【０００９】
図１の紙カートンＡ1 はシリアル食品が入った袋を収納して販売形態としたもので、外観は縦に長い直方体形状であり、図２に示すブランクＢ1 を組み立てて作製される。
【００１０】
ブランクＢ1 は、紙カートン用の板紙を打ち抜いて形成したもので、図示のように、折線ａ，ｂ，ｃ，ｄを介して糊代フラップ１１、前面パネル１２、側面パネル１３、背面パネル１４、側面パネル１５が順次連設されている。前面パネル１２の下辺には折線ｅを介して底面パネル１６が連設され、上辺には折線ｆを介して上面外側パネル１７が連設されており、側面パネル１３の下辺には折線ｇを介して下側折込みフラップ１８が連設され、上辺には折線ｈを介して上側折込みフラップ１９が連設されており、背面パネル１４の下辺には折線ｉを介して底面パネル２０が連設され、上辺には折線ｊを介して上面内側パネル２１が連設されており、側面パネル１５の下辺には折線ｋを介して下側折込みフラップ２２が連設され、上辺には折線ｌを介して上側折込みフラップ２３が連設されている。
【００１１】
前面パネル１２にはその中央に側面パネル１３，１５の幅より僅かに広い幅の前方横断領域１２ａが上辺の折線ｍと下辺の胴部ミシン目αとにより区画され、背面パネル１４にはその中央に側面パネル１３，１５の幅より僅かに広い幅の後方横断領域１４ａが上辺の折線ｎと下辺の折線ｏとにより区画されている。通常、前方横断領域１２ａと後方横断領域１４ａの幅は側面パネル１３，１５の幅より１〜２ｍｍ程度大きくする。また，前方横断領域１２ａと後方横断領域１４ａの幅は同じにする必要はないが、その場合でも後方横断領域１４ａの幅は側面パネル１３，１５の幅より１〜２ｍｍ程度大きくする。
【００１２】
前面パネル１２の上辺に連設した上面外側パネル１７には、先端中央部に破断可能な摘み部分１７ａが区画されるとともに、その摘み部分１７ａの根元から末広がりに伸びて両側縁に至る開封用の上部ミシン目β1 が形成され、前面パネル１２の両側辺にはその上辺の両端から前方横断領域１２ａの上辺に至る開封用の側部ミシン目β2 がそれぞれ形成されている。これらの上部ミシン目β1 と側部ミシン目β2 とで囲まれる部分は開封されることで蓋部分となる部位である。また、背面パネル１４の上辺に連接した上面内側パネル２１には上面外側パネル１７の摘み部分１７ａに対応して差込み用のスリット２１ａが形成されている。
【００１３】
側面パネル１３，１５には、前面パネル１２の前方横断領域１２ａと背面パネル１４の後方横断領域１４ａに隣接する部位に同じ形状の除去領域１３ａ，１５ａと折込み領域１３ｂ，１５ｂが設けられている。
【００１４】
側面パネル１３の除去領域１３ａは、後方横断領域１４ａの上辺端部から斜め下方に伸びて前方横断領域１２ａの下辺端部に至るミシン目γ1 と、後方横断領域１４ａの上辺端部から斜め上方に伸びて前面パネル１２の側辺に至るミシン目γ2 と、前面パネル１２の側辺とにより区画された三角形状の部分であり、蓋部分と前方横断領域１２ａを除去する際に、ミシン目γ1 ，γ2 のところで破断されて一緒に除去される部分である。また、側面パネル１３の折込み領域１３ｂは、後方横断領域１４ａの上辺端部から斜め下方に伸びて前方横断領域１２ａの下辺端部に至るミシン目γ1 と、前方横断領域１２ａの下辺端部と後方横断領域１４ａの下辺端部とを結ぶ横方向の折線ｐと、背面パネル１４の側辺とにより区画された三角形状の部分であり、除去領域１３ａを除去した後で、中央の折線ｑのところで折り込まれるようになっている。なお、この中央の折線ｑは、折り曲げやすくするために、折罫の途中に切込線のあるリード罫により形成されている。
【００１５】
側面パネル１５の除去領域１５ａ、折込み領域１５ｂは、背面パネル１４の縦方向中心線に関して側面パネル１３の除去領域１３ａ、折込み領域１３ｂと対称になるように設けられている。すなわち、側面パネル１５には後方横断領域１４ａの下辺を延長した折線ｒが設けられており、除去領域１５ａは、後方横断領域１４ａの上辺端部から斜め下方に伸びて折線ｒの端部に至るミシン目γ1 と、後方横断領域１４ａの上辺端部から斜め上方に伸びて側面パネル１４の側辺に至るミシン目γ2 と、側面パネル１４の側辺とにより区画された三角形状の部分である。また、折込み領域１５ｂは、後方横断領域１４ａの上辺端部から斜め下方に伸びて折線ｒの端部に至るミシン目γ1 と、後方横断領域１４ａの下辺を延長した折線ｒと、背面パネル１４の側辺とにより区画された三角形状の部分であり、中央にリード罫からなる折線ｓが形成されている。そして、ブランクＢ1 を組み立てる際に側面パネル１５はその側辺に沿って糊代フラップ１１と貼り合わせられるので、糊代フラップ１１には側面パネル１５のミシン目γ1 ，γ2 が重なる位置に同じくミシン目γ1 ，γ2 が形成されている。
【００１６】
このブランクＢ1 は、糊代フラップ１１の表側を側面パネル１５の端部裏側に貼り合わせたサック貼り状態で折り畳まれる。そして、この折り畳んだブランクＢ1 を図１の紙カートンＡ1 に組み立てるには、まず、折り畳んだブランクＢ1 を角筒状に起こした後、各側面パネル１３，１５の上辺に連設した上側折込みフラップ１９，２３を折り曲げてから、上面内側パネル２１、上面外側パネル１７をこの順で折り曲げて貼り合わせることで上部を閉鎖する。この時、上面内側パネル２１と上側折込みフラップ１９，２３とを貼り合わせるようにする。また、上面外側パネル１７は上部ミシン目β1 の外側にある２つの領域で上面内側パネル２１と貼り合わせる。
【００１７】
このように、上部を閉鎖した後、下方から内容物を投入する。この場合、この例ではシリアル食品入りの袋を投入する。次いで、各側面パネル１３，１５の下辺に連設した下側折込みフラップ１８，２２を折り込んでから、底面パネル１６，２０を順次折り曲げて貼り合わせることで底部を形成する。このようにして図１に示す内容物が入った紙カートンＡ1 が組み立てられる。
【００１８】
この紙カートンＡ1 は、図３に示すように、上面外側パネル１７の摘み部分１７ａを引っ張って、上部ミシン目β1 と側部ミシン目β2 を破断することで、上部ミシン目β1 と側部ミシン目β2 とで囲まれる部分を蓋部分として開封することができる。この時、前方横断領域１２ａの上辺にある折線ｍがヒンジ部分となる。図３は開封状態で中の袋Ｐが見える状態を示している。このように開封した後、袋Ｐを破って中のシリアル食品を取り出すことができる。そして、シリアル食品を食べる分だけ取り出した後は、図４に示すように、開封した蓋部分を戻し、その先端にある摘み部分１７ａを上面内側パネル２１のスリット２１ａに差し込んで閉じることができる。
【００１９】
袋Ｐの中のシリアル食品が減って残りが少なくなってくると、袋Ｐに対する紙カートンＡ1 の箱としての容積は相対的に大きくなる。そこで、この紙カートンＡ1 は、内容物が前方横断領域１２ａより下方に入る程度のサイズになった時に、次の手順により小さくして減容化を図ることができる。
【００２０】
まず、図５に示すように、前方横断領域１２ａを下辺の胴部ミシン目αで破断して蓋部分とともに除去する。この時、側面パネル１３，１５の除去領域１３ａ，１５ａも斜め方向のミシン目γ1 ，γ2 で破断して一緒に除去する。次いで、図６に示すように、小さくした袋Ｐを入れた状態で、折込み部分１３ｂ，１５ｂを折線ｓで内側に折込みながら、背面パネル１４をその後方横断領域１４ａにおける上下の折線ｎ，ｏところで折り曲げ、図７に示す如く後方横断領域１４ａより下方の部分に上方の部分を被せる。これにより、紙カートンＡ1 は箱としての容積を大幅に減らすことができる。そして、後方横断領域１４ａより上方の部分は下方の部分に対して外から覆うようにしてピッタリと嵌まった状態で閉鎖することができる。また、内容物を取り出す時は、両手で把持して簡単に開けることができる。
【００２１】
図８は図１に示す紙カートンの変形例を示す斜視図、図９は図８の紙カートンを形成するブランクの平面図である。この紙カートンＡ2 とブランクＢ2 は、先に説明した紙カートンＡ1 とブランクＢ1 とは側面パネル１３，１５の構造が異なるだけでそれ以外の部分は同じ構造であるため、同じ部位には同じ符号を付してある。
【００２２】
ブランクＢ2 の側面パネル１３，１５にも、前面パネル１２の前方横断領域１２ａと背面パネル１４の後方横断領域１４ａに隣接する部位に同じ形状の除去領域１３ａ，１５ａと折込み領域１３ｂ，１５ｂが設けられているが、これらの形状は図２に示すものとは異なっている。
【００２３】
側面パネル１３には、前方横断領域１２ａの下辺端部と後方横断領域１４ａの下辺端部とを結ぶ横方向の折線ｐと、前方横断領域１２ａの上辺端部と後方横断領域１４ａの上辺端部とを結ぶ横方向の折線ｔとが設けられている。そして、この平行な２本の折線ｐ，ｔと側面パネル１３の両側辺とで囲まれる正方形の部分は、対角線により４つの三角形に区画されており、直交する２本の対角線のうち前方横断領域１２ａに隣接する三角形を区画する部分がミシン目γ3 となり、残りが折線ｑ，ｕで形成されている。したがって、前方横断領域１２ａに隣接する三角形が除去領域１３ａになっており、蓋部分と前方横断領域１２ａを除去する際に、ミシン目γ3 のところで破断されて一緒に除去される。また、その三角形以外の部分が折込み領域１３ｂであり、除去領域１３ａを除去した後で、２本の折線ｑ，ｖのところで折り込まれるようになっている。なお、これらの折線ｑ，ｖは、折り曲げやすくするために、折罫の途中に切込線のあるリード罫により形成されている。
【００２４】
側面パネル１５には、後方横断領域１４ａの下辺を延長した折線ｒと、同じく後方横断領域１４ａの上辺を延長した折線ｖとが設けられている。そして、この平行な２本の折線ｒ，ｖと側面パネル１５の両側辺とで囲まれる正方形の部分は、対角線により４つの三角形に区画されており、直交する２本の対角線のうち後方横断領域１４ａと反対側に位置する三角形を区画する部分がミシン目γ3 となり、残りが折線ｓ，ｗで形成されている。そして、ブランクＢ2 を組み立てる際に側面パネル１５はその側辺に沿って糊代フラップ１１と貼り合わせられるので、糊代フラップ１１には側面パネル１５のミシン目γ3 が重なる位置に同じくミシン目γ3 が形成されている。したがって、組立状態では、前方横断領域１２ａに隣接する三角形が除去領域１５ａになっており、蓋部分と前方横断領域１２ａを除去する際に、ミシン目γ3 のところで破断されて一緒に除去される。また、その三角形以外の部分が折込み領域１５ｂであり、除去領域１５ａを除去した後で、２本の折線ｓ，ｗのところで折り込まれるようになっている。なお、これらの折線ｓ，ｗは、折り曲げやすくするために、折罫の途中に切込線のあるリード罫により形成されている。
【００２５】
また、このブランクＢ2 では、前面パネル１２に前方横断領域１２ａを区画している下辺の胴部ミシン目αの両端から下方に向けてそれぞれ所定長さのスリット１２ｂを設けている。すなわち、前面パネル１２の左右両側にある折線ａ，ｂの一部分をスリット１２ｂとしている。
【００２６】
このブランクＢ2 は先に説明したブランクＢ1 の場合と同じ手順で組み立てることにより、図８に示す紙カートンＡ2 が得られる。また、紙カートンＡ2 は先に説明した紙カートンＡ1 と同じように開封して使用される。そして、箱としての容積を小さくする手順も同じであるが、その時の側面パネルの変形の仕方が異なる。
【００２７】
まず、図１０に示すように、前方横断領域１２ａを下辺の胴部ミシン目αで破断して蓋部分とともに除去する。この時、側面パネル１３，１５の除去領域１３ａ，１５ａをミシン目γ3 で破断して一緒に除去する。次いで、図１１に示すように、小さくした袋Ｐを入れた状態で、折込み部分１３ｂ，１５ｂを折線ｒ，ｓ，ｖ，ｗで内側に折込みながら、背面パネル１４をその後方横断領域１４ａにおける上下の折線ｎ，ｏところで折り曲げ、図７に示す如く後方横断領域１４ａより下方の部分に上方の部分を被せる。この時、前面パネル１２にスリット１２ｂを形成してあるので、このスリット１２ｂの両側の部分を撓ませながら被せることができる。これにより、紙カートンＡ1 は箱としての容積を大幅に減らすことができる。そして、後方横断領域１４ａより上方の部分は下方の部分に対して外から覆うようにしてピッタリと嵌まった状態で閉鎖することができる。また、内容物を取り出す時は、両手で把持して簡単に開けることができる。
【００２８】
以上、本発明の実施の形態について詳細に説明してきたが、本発明による紙カートンは、上記実施の形態に何ら限定されるものではなく、本発明の趣旨を逸脱しない範囲において種々の変更が可能であることは当然のことである。
【００２９】
例えば、上記の例では、背面パネル１４をその後方横断領域１４ａにおける上下辺のところで屈曲させて箱としての容積を減少させる時に、側面パネル１３，１５に折込み部分を形成するようにしたが、この折込み部分の形状は上記した２つの例に限るものではなく、背面パネル１４がその後方横断領域１４ａにおける上下辺のところで屈曲可能になりさえすれば任意である。また、蓋部分と前方横断領域とを除去する時に、この折込み部分のところを全て除去するような構成にしてもよい。
【００３０】
また、上記の例では、先端中央部に摘み部分のある開封手段を上面外側パネルに設けたが、このような摘み部分のない開封手段を設けるようにしてもよい。
【図面の簡単な説明】
【００３１】
【図１】本発明に係る紙カートンの一例を示す斜視図である。
【図２】図１の紙カートンを形成するブランクの平面図である。
【図３】図１の紙カートンを開封した状態で示す説明図である。
【図４】図１の紙カートンを開封した後で閉じる様子を示す説明図である。
【図５】図１の紙カートンを開封した後でその蓋部分と前方横断領域を除去する様子を示す説明図である。
【図６】図１の紙カートンを減容化する様子を示す説明図である。
【図７】図１の紙カートンを減容化した状態を示す斜視図である。
【図８】図１に示す紙カートンの変形例を示す斜視図である。
【図９】図８の紙カートンを形成するブランクの平面図である。
【図１０】図８の紙カートンを開封した後でその蓋部分と前方横断領域を除去する様子を示す説明図である。
【図１１】図８の紙カートンを減容化する様子を示す説明図である。
【図１２】図８の紙カートンを減容化した状態を示す斜視図である。
【符号の説明】
【００３２】
Ａ1 ，Ａ2   紙カートン
Ｂ1 ，Ｂ2   ブランク
ａ〜ｗ  折線
α  胴部ミシン目
β1   上部ミシン目
β2   側部ミシン目
γ1 ，γ2 ，γ3   ミシン目
１１  糊代フラップ
１２  前面パネル
１２ａ  前方横断領域
１２ｂ  スリット
１３  側面パネル
１３ａ  除去領域
１３ｂ  折込み領域
１４  背面パネル
１４ａ  後方横断領域
１５  側面パネル
１５ａ  除去領域
１５ｂ  折込み領域
１６  底面パネル
１７  上面外側パネル
１７ａ  摘み部分
１８  下側折込みフラップ
１９  上側折込みフラップ
２０  底面パネル
２１  上面内側パネル
２１ａ  スリット
２２  下側折込みフラップ
２３  上側折込みフラップ
【図１】
2008127095.tif 000003
【図２】
2008127095.tif 000004
【図３】
2008127095.tif 000005
【図４】
2008127095.tif 000006
【図５】
2008127095.tif 000007
【図６】
2008127095.tif 000008
【図７】
2008127095.tif 000009
【図８】
2008127095.tif 000010
【図９】
2008127095.tif 000011
【図１０】
2008127095.tif 000012
【図１１】
2008127095.tif 000013
【図１２】
2008127095.tif 000014